(57)【要約】不飽和脂肪酸を含有する油脂類、又は易酸化性の不飽和結合を有する物質の酸化に対して、親和性を有し、安全性が高く、安定した酸化防止効果を有する天然物由来の抗酸化剤を提供することを課題とし、２以上のビスアリル位水素を有する天然の高度多価不飽和脂肪酸のエステルの乳化物を抗酸化活性成分として含有する、不飽和脂肪酸、不飽和脂肪酸含有油脂、又は易酸化性の不飽和結合を有する物質用抗酸化剤によって解決する。α−リノレン酸、アラキドン酸、ＥＰＡ、ドコサペンタエン酸、或いはＤＨＡのように２以上のビスアリル位水素を有する天然の高度多価不飽和脂肪酸のエステルの乳化物は、不飽和脂肪酸、不飽和脂肪酸含有油脂類、又は易酸化性の不飽和結合を有する物質に対して、抗酸化作用を有する。本発明の抗酸化剤は、不飽和脂肪酸又は易酸化性の不飽和結合含有物質を含む飲食品、医薬、化粧品及び飼料等の抗酸化剤として用いることができる。【特許請求の範囲】
【請求項１】
２以上のビスアリル位水素を有する天然の高度多価不飽和脂肪酸のエステルの乳化物を抗酸化活性成分として含有することを特徴とする不飽和脂肪酸、不飽和脂肪酸含有油脂、又は易酸化性の不飽和結合を有する物質用抗酸化剤。
【請求項２】
２以上のビスアリル位水素を有する天然の高度多価不飽和脂肪酸が、α−リノレン酸、アラキドン酸、エイコサペンタエン酸（ＥＰＡ）、ドコサペンタエン酸（ＤＰＡ）又はドコサヘキサエン酸（ＤＨＡ）であることを特徴とする請求項１記載の不飽和脂肪酸、不飽和脂肪酸含有油脂、又は易酸化性の不飽和結合を有する物質用抗酸化剤。
【請求項３】
２以上のビスアリル位水素を有する天然の高度多価不飽和脂肪酸のエステルが、α−リノレン酸、アラキドン酸、エイコサペンタエン酸（ＥＰＡ）、ドコサペンタエン酸（ＤＰＡ）又はドコサヘキサエン酸（ＤＨＡ）のグリセリド或いはエチルエステルであることを特徴とする請求項１又は２記載の不飽和脂肪酸、不飽和脂肪酸含有油脂、又は易酸化性の不飽和結合を有する物質用抗酸化剤。
【請求項４】
抗酸化活性成分として、α−リノレン酸グリセリド、アラキドン酸グリセリド、エイコサペンタエン酸（ＥＰＡ）グリセリド、ドコサペンタエン酸（ＤＰＡ）グリセリド、ドコサヘキサエン酸（ＤＨＡ）グリセリド、α−リノレン酸エチルエステル、アラキドン酸エチルエステル、エイコサペンタエン酸（ＥＰＡ）エチルエステル、ドコサペンタエン酸（ＤＰＡ）エチルエステル、及びドコサヘキサエン酸（ＤＨＡ）エチルエステルの１又は２以上の天然の高度多価不飽和脂肪酸のエステルを含有することを特徴とする請求項１〜３のいずれか記載の不飽和脂肪酸、不飽和脂肪酸含有油脂、又は易酸化性の不飽和結合を有する物質用抗酸化剤。
【請求項５】
不飽和脂肪酸、不飽和脂肪酸含有油脂、又は易酸化性の不飽和結合を有する物質用抗酸化剤が、２以上のビスアリル位水素を有する天然の高度多価不飽和脂肪酸エステルからなる抗酸化活性成分を、不飽和脂肪酸、不飽和脂肪酸含有油脂、又は易酸化性の不飽和結合を有する物質に添加して、乳化状態となして使用するものであることを特徴とする請求項１〜４のいずれか記載の不飽和脂肪酸、不飽和脂肪酸含有油脂、又は易酸化性の不飽和結合を有する物質用抗酸化剤。
【請求項６】
高度多価不飽和脂肪酸エステルからなる抗酸化活性成分と不飽和脂肪酸、不飽和脂肪酸含有油脂、又は易酸化性の不飽和結合を有する物質の乳化状態が、水中油（Ｏ／Ｗ）型であることを特徴とする請求項５記載の不飽和脂肪酸、不飽和脂肪酸含有油脂、又は易酸化性の不飽和結合を有する物質用抗酸化剤。
【請求項７】
２以上のビスアリル位水素を有する天然の高度多価不飽和脂肪酸のエステルからなる抗酸化活性成分に、乳化剤を添加したことを特徴とする請求項１〜６のいずれか記載の不飽和脂肪酸、不飽和脂肪酸含有油脂、又は易酸化性の不飽和結合を有する物質用抗酸化剤。
【請求項８】
２以上のビスアリル位水素を有する天然の高度多価不飽和脂肪酸のエステルからなる抗酸化活性成分に、トコフェロール類、Ｌ−アスコルビン酸、Ｌ−アスコルビン酸エステル、ローズマリー抽出物、茶抽出物、ヒマワリ抽出物、及びコーヒー豆抽出物から選択される１又は２以上の酸化防止剤を添加したことを特徴とする請求項１〜７のいずれか記載の不飽和脂肪酸、不飽和脂肪酸含有油脂、又は易酸化性の不飽和結合を有する物質用抗酸化剤。
【請求項９】
２以上のビスアリル位水素を有する天然の高度多価不飽和脂肪酸のエステルが、フラックス油、シソ実油、エゴマ油等の植物油、イワシ油、タラ肝油、ニシン油、イカ油、マグロ油等の魚油、クジラ、アザラシ、オットセイのいずれかからなる海産動物を起源とする圧搾或いは抽出油、クロレラ、スピルリナのいずれかに由来する微細藻類抽出油、又は、該油脂を脂質分解酵素反応、エステル化反応、或いは、エステル交換反応によって変換した油であることを特徴とする請求項１〜８のいずれか記載の不飽和脂肪酸、不飽和脂肪酸含有油脂、又は易酸化性の不飽和結合を有する物質用抗酸化剤。
【請求項１０】
不飽和脂肪酸、不飽和脂肪酸含有油脂、又は易酸化性の不飽和結合を有する物質用抗酸化剤が、不飽和脂肪酸、不飽和脂肪酸含有油脂、又は易酸化性の不飽和結合を有する物質を含有する飲食品、医薬、化粧品又は飼料用の抗酸化剤であることを特徴とする請求項１〜９のいずれか記載の不飽和脂肪酸、不飽和脂肪酸含有油脂、又は易酸化性の不飽和結合を有する物質用抗酸化剤。
【発明の詳細な説明】
【技術分野】
【０００１】
本発明は、α−リノレン酸、アラキドン酸、エイコサペンタエン酸（ＥＰＡ）、ドコサペンタエン酸（ＤＰＡ）、ドコサヘキサエン酸（ＤＨＡ）のような２以上のビスアリル位水素を有する天然の高度多価不飽和脂肪酸（ＨＵＦＡ）のエステルを抗酸化活性成分として含有する不飽和脂肪酸又は不飽和脂肪酸含有油脂、もしくは易酸化性の不飽和結合を有する物質用の抗酸化剤に関する。
【背景技術】
【０００２】
油脂類は、飲食品、医薬品、化粧品、或いは飼料等の各種の製品の成分として用いられ、また該製品の成分として含有されているが、油脂類、特に不飽和結合を有した油脂類、すなわち、不飽和脂肪酸を含有する油脂類は、酸化に対して不安定であり、保存中に酸化を受けて、品質の劣化を招くという問題がある。このため従来より、この油脂の自動酸化を抑止するために、抗酸化剤の使用が行なわれている。一般的に用いられる抗酸化剤としては、天然由来のものとして、トコフェロール類やＬ−アスコルビン酸、合成品としてＢＨＡ（ブチルヒドロキシアニソール）、ＢＨＴ（ジブチルヒドロキシトルエン）等が知られているが、近年、ＢＨＡやＢＨＴのような化学合成品は、その安全性等の問題から食品等への使用が制限され、替わって、油脂の酸化防止剤として、トコフェロール類やＬ−アスコルビン酸のような天然由来のものが使用されている。しかしながら、トコフェロール類は、多価不飽和脂肪酸(ＰＵＦＡ)のような不安定な油脂に対する酸化防止効果が必ずしも十分でなく、また、Ｌ−アスコルビン酸は、熱やアルカリに弱い等の問題があったりして、十分満足のいける状況とはなっていない。【０００３】
そこで、従来より、油脂類に対する抗酸化剤として、安全性が高く、かつ、安定した酸化防止効果を有することを目標として、各種の天然物由来の抗酸化剤が開発され、開示されている。例えば、大豆や大豆タンパク質由来の油脂用抗酸化剤（特開平６−２８７５５４号公報、特開平９−１５７２９２号公報、特開２０００−２０４３６９号公報）が、イバラノリ属（Hypnea）属や、ソゾ（Laurencia）属、ウミウチワ属（Padina）に属する海藻の抽出物を有効成分とする油脂類用の抗酸化剤（特開平７−８２５５４号公報、特開平７−８２５５５号公報、特開平７−２４７４７９号公報）が、シラン抽出物を有効成分とする油脂類用の抗酸化剤（特開平７−２６２５９号公報）が、糖アルコールを有効成分とする乳化油脂用酸化安定剤（特開平８−２５９９４４号公報）が、紅木紫檀の木部より抽出物を有効成分とする油脂類用の抗酸化剤（特開平９−１０４８６４号公報）が、イカ由来脂質からなる油脂類の安定化剤（特開２００２−１２１５８２号公報）等が開示されている。しかしながら、これらの天然物由来の抗酸化剤も、その酸化防止効果等の観点からは、必ずしも満足のいけるものではない。【０００４】
一方で、近年、エイコペンタエン酸（ＥＰＡ）や、ドコサヘキサエン酸（ＤＨＡ）などの高度多価不飽和脂肪酸類（ＨＵＦＡ）は、血栓形成抑制作用や高血圧の予防作用、血中コレステロール低下作用・高脂血症予防作用、脳機能改善作用、抗アレルギー作用、皮膚の老化防止作用等、種々の生理活性や健康増進作用が報告されており、健康食品素材や医薬品或いは飼料への利用が図られ、注目されている。しかし、これらのＨＵＦＡは、多数の不飽和結合を有するため、酸化に対して極めて弱いという問題がある。このため、従来、ＨＵＦＡの利用に際しては、種々の酸化防止策が講じられている。例えば、トコフェノールやカテキン等の抗酸化剤を用いる方法、ゼラチン等でカプセル化する方法、不活性ガスで封入する方法等が用いられている。【０００５】
ＨＵＦＡの酸化防止策としては、これまでに各種の方法が開発され、開示されている。例えば、特開平５−８６３９５号公報には、魚介類エキスからなる水相と動物油或いは植物油からなる油相とから、ポリグリセリン脂肪酸エステル等の乳化剤を用いて調製したＷ／Ｏ型エマルションの水相又は油相にトコフェロール、リン脂質、ビタミンＣ等の抗酸化剤を含有させ、ＥＰＡ或いはＤＨＡ含有油脂に添加して、安定したＥＰＡ、ＤＨＡ含有油脂を得る方法が、特開平６−２９８６４２号公報には、ＨＵＦＡ又はその誘導体を含む油成分を分散相とするＯ／Ｗ型乳剤において、分散媒としての水中に、アスコルビン酸、エリソルビン酸等の水溶性抗酸化剤を、分散相としての油成分中にビタミンＥ、ビタミンＥ誘導体、ビタミンＣエステル、ゴマ油、綿実油等の油溶性抗酸化剤を含有させ、極めて長時間にわたり酸化が抑制されたＨＵＦＡを調製する方法が開示されている。【０００６】
更に、特開平７−２２７２２７号公報には、ＥＰＡ或いはＤＨＡ又はそれらを含有する天然油と、ＨＬＢ１０以上のポリグリセリン脂肪酸エステル或いはこれと蔗糖脂肪酸エステル又はレシチンからなる乳化剤、多価アルコールのような親水性媒体、及びアスコルビン酸、カテキン類のような酸化防止剤とから、酸化に対して安定なＥＰＡ或いはＤＨＡ含有乳化組成物を調製する方法について、特開２００６−３０５５６９号公報には、ＨＵＦＡのような油成分、乳化剤、キサンタンガム、アルギナート、ジェランガムなどのエマルション安定化剤及び水から、高せん断混合等により混合して酸化に対して安定なエマルションを調製する方法について開示されている。【０００７】
また、特開平６−４９４７９号公報には、ＥＰＡや、ＤＨＡなどのようなω−３不飽和脂肪酸又はその誘導体を、Tween 20 、蔗糖脂肪酸エステル、ソルビタン脂肪酸エステルのような乳化剤を用い、ω−３不飽和脂肪酸又はその誘導体を、水溶液中に分散させ、該油脂の安定化を図る方法が、特開平６−１７２７８２号公報には、ＰＵＦＡ−ＭＧを含む油脂をリン脂質、トコフェロール等の抗酸化剤と混合した後に、カゼインや大豆タンパク等のタンパク質、それらの分解物等に乳化・分散させたものを乾燥し、酸化安定性に優れたＰＵＦＡ含有粉末を得ることが、特開平７−３９３０２号公報には、構成油脂として、ＨＵＦＡのモノグリセリド（ＨＵＦＡ−ＭＧ）を含有するＨＵＦＡを、必要に応じて抗酸化剤を添加して、水分含量が少なくても３０重量％以上であるような水系食品に添加して、乳化・分散状態とすることにより、乳化・分散状態が安定で、かつ、酸化安定性の高い油脂組成物添加食品を得る方法が開示されている。【０００８】
更に、ＷＯ２００４／０４８４９６号公報には、ＨＵＦＡのような酸化し易い二重結合を有する油脂に対する抗酸化剤として、ゴマの抗酸化成分とアスコルビン酸又はアスコルビン酸エステルを添加した抗酸化剤が開示されている。以上のようなＨＵＦＡの酸化防止策は、いずれもＥＰＡやＤＨＡのようなＨＵＦＡ自身の酸化を防止する策であり、これまで、ＥＰＡやＤＨＡのようなＨＵＦＡを乳化分散した際に発揮する抗酸化機能については、全く知られないできた。ＨＵＦＡの酸化についての一般的知見としては、ＤＨＡ、ＥＰＡなどのＨＵＦＡは、バルク系ではリノール酸などのＰＵＦＡより酸化安定性に劣るが、ミセルやエマルション中ではリノール酸などのＰＵＦＡより酸化されにくいこと、及び、リノール酸や、ＤＨＡ、ＥＰＡのモノアシルグリセロールを水溶液中に分散した場合、ＤＨＡがもっとも酸化されにくく、このような結果はエチルエステル、ジアシルグリセロール、トリアシルグリセロールでも確認されていること（日本水産学会誌、Vol.72,N0.4, P636-639, 2006.）、ＤＨＡ含有魚油乳化物は安定であること（日本栄養・食糧学会講演要旨集、Vol.56,P44, 2006.）等がある。【０００９】
【特許文献１】特開平５−８６３９５号公報
【特許文献２】特開平６−４９４７９号公報
【特許文献３】特開平６−１７２７８２号公報
【特許文献４】特開平６−２８７５５４号公報
【特許文献５】特開平６−２９８６４２号公報
【特許文献６】特開平７−２６２５９号公報
【特許文献７】特開平７−３９３０２号公報
【特許文献８】特開平７−８２５５４号公報
【特許文献９】特開平７−８２５５５号公報
【特許文献１０】特開平７−２２７２２７号公報
【特許文献１１】特開平７−２４７４７９号公報
【特許文献１２】特開平８−２５９９４４号公報
【特許文献１３】特開平９−１０４８６４号公報
【特許文献１４】特開平９−１５７２９２号公報
【特許文献１５】特開２０００−２０４３６９号公報
【特許文献１６】特開２００２−１２１５８２号公報
【特許文献１７】特開２００６−３０５５６９号公報
【特許文献１８】ＷＯ２００４／０４８４９６号公報
【非特許文献１】日本水産学会誌、Vol.72,N0.4, P636-639, 2006.
【非特許文献２】日本栄養・食糧学会講演要旨集、Vol.56,P44, 2006.
【発明の開示】
【発明が解決しようとする課題】
【００１０】
本発明の課題は、飲食品、医薬品、化粧品、或いは飼料等の各種の製品の成分として用いられ、また該製品の成分として含有されている不飽和脂肪酸を含有する油脂類、又は易酸化性の不飽和結合を有する物質の酸化に対して、該油脂類若しくは該物質に親和性を有し、安全性が高く、かつ、安定した酸化防止効果を有する天然物由来の抗酸化剤を提供することにある。
【課題を解決するための手段】
【００１１】
本発明者は、近年、種々の生理活性や健康増進作用の機能から注目されている、α−リノレン酸、エイコペンタエン酸（ＥＰＡ）や、ドコサヘキサエン酸（ＤＨＡ）などのＨＵＦＡの酸化安定性について鋭意研究する中で、α−リノレン酸やＥＰＡ或いはＤＨＡのように２以上のビスアリル位水素（不飽和結合が３つ以上）を有する天然のＨＵＦＡのエステルが、不飽和脂肪酸及び不飽和脂肪酸含有油脂類に対して、抗酸化作用を有することを見い出し、本発明を完成するに至った。すなわち、本発明は、２以上のビスアリル位水素を有する天然のＨＵＦＡのエステルを抗酸化活性成分として含有する不飽和脂肪酸又は不飽和脂肪酸含有油脂、又は易酸化性の不飽和結合を有する物質用抗酸化剤を提供することからなる。【００１２】
不飽和脂肪酸の化学構造は、図１に示されるような構造を有するが、不飽和結合を２以上含有する不飽和脂肪酸においては、−ＣＨ＝ＣＨ−ＣＨ２−ＣＨ＝ＣＨ−なる構造の２つの不飽和結合に挟まれた炭素に結合する水素、すなわち、ビスアリル位水素が存在する。このビスアリル位水素は、リノール酸においては１個、α−リノレン酸については２個、アラキドン酸については３個、ＥＰＡやドコサペンタエン酸（ＤＰＡ）については４個、ＤＨＡについては５個存在する。これらのビスアリル位水素を有する不飽和脂肪酸においては、その酸化メカニズムとして、不飽和脂肪酸のビスアリル位水素が、空気中の酸素の攻撃を受けて、過酸化され、この過酸化物のラジカル連鎖反応により、酸化が進んで、油脂の酸化が起こると考えられている。【００１３】
そこで、ＥＰＡやＤＨＡのように、複数のビスアリル位水素を有するＨＵＦＡが、いかなるメカニズムで、不飽和脂肪酸の酸化に対して、抗酸化作用を有するかということについては、まだ、完全に解明できていない。しかしながら、以下に説明するように、不飽和脂肪酸の不飽和結合の数によって、不飽和脂肪酸の立体構造が変化し、その立体構造によって、Ｏ／Ｗ型エマルションとした場合のミセル界面のラジカルの状況により、ラジカル連鎖反応が進みにくくなるためと考えられる。すなわち、脂肪酸は、図２、（ａ）〜（ｅ）に示されるように、その不飽和（二重結合）によって、不飽和結合が１つ増えるごとに分子に折れ曲がりが生じて丸みを帯びてくる。【００１４】
このような構造の相違が、不飽和脂肪酸のエマルション系における酸化挙動を大きく左右するものと考えられる。そして、ＥＰＡやＤＨＡのような、複数のビスアリル位水素を有するＨＵＦＡの抗酸化作用については、該脂肪酸と不飽和脂肪酸との構造的な相互作用により、Ｏ／Ｗ型エマルションとした場合のミセル界面のラジカルの状況により、過酸化された過酸化物のラジカル連鎖反応が起こりにくい構造になって、作用するものと推測される。本発明において、実施例に示されるように、ＰＵＦＡのリノール酸が、ＨＵＦＡであるＤＨＡの存在により酸化安定化され、また、リノール酸が、ＤＨＡやＥＰＡ或いはα―リノレン酸の添加により、その酸化が抑制されることを見出した。【００１５】
本発明において、不飽和脂肪酸又は不飽和脂肪酸含有油脂、若しくは易酸化性の不飽和結合を有する物質用抗酸化剤の抗酸化に用いられる活性成分は、２以上のビスアリル位水素（不飽和結合３以上）を有する天然のＨＵＦＡのエステルであり、該高度多価脂肪酸としては、α−リノレン酸（ビスアリル位水素２）、アラキドン酸（ビスアリル位水素３）、エイコサペンタエン酸（ＥＰＡ）（ビスアリル位水素４）、ドコサペンタエン酸（ビスアリル位水素４）、又はドコサヘキサエン酸（ＤＨＡ）（ビスアリル位水素５）等を挙げることができ、該ＨＵＦＡのエステルとしては、グリセリド或いはエチルエステルを挙げることができる。【００１６】
本発明の抗酸化剤は、不飽和脂肪酸又は不飽和脂肪酸含有油脂、若しくは易酸化性の不飽和結合を有する物質に添加して、乳化状態となして使用することができ、該乳化状態としては、水中油（Ｏ／Ｗ）型であることが好ましい。かかる乳化に際しては、本発明の抗酸化活性成分に、乳化剤を添加して用いることができる。本発明の抗酸化剤は、不飽和脂肪酸、不飽和脂肪酸又は不飽和脂肪酸含有油脂含有物質、不飽和脂肪酸又は不飽和脂肪酸含有油脂含有組成物、或いは易酸化性の不飽和結合を有する物質用の抗酸化剤として用いることができ、かかる成分からなる飲食品、医薬、化粧品及び飼料等の抗酸化剤として用いることができる。【００１７】
すなわち本発明は、（１）２以上のビスアリル位水素を有する天然の高度多価不飽和脂肪酸のエステルの乳化物を抗酸化活性成分として含有することを特徴とする不飽和脂肪酸、不飽和脂肪酸含有油脂、又は易酸化性の不飽和結合を有する物質用抗酸化剤や、（２）２以上のビスアリル位水素を有する天然の高度多価不飽和脂肪酸が、α−リノレン酸、アラキドン酸、エイコサペンタエン酸（ＥＰＡ）、ドコサペンタエン酸（ＤＰＡ）又はドコサヘキサエン酸（ＤＨＡ）であることを特徴とする上記（１）記載の不飽和脂肪酸、不飽和脂肪酸含有油脂、又は易酸化性の不飽和結合を有する物質用抗酸化剤や、（３）２以上のビスアリル位水素を有する天然の高度多価不飽和脂肪酸のエステルが、α−リノレン酸、アラキドン酸、エイコサペンタエン酸（ＥＰＡ）、ドコサペンタエン酸（ＤＰＡ）又はドコサヘキサエン酸（ＤＨＡ）のグリセリド或いはエチルエステルであることを特徴とする上記（１）又は（２）記載の不飽和脂肪酸、不飽和脂肪酸含有油脂、又は易酸化性の不飽和結合を有する物質用抗酸化剤や、（４）抗酸化活性成分として、α−リノレン酸グリセリド、アラキドン酸グリセリド、エイコサペンタエン酸（ＥＰＡ）グリセリド、ドコサペンタエン酸（ＤＰＡ）グリセリド、ドコサヘキサエン酸（ＤＨＡ）グリセリド、α−リノレン酸エチルエステル、アラキドン酸エチルエステル、エイコサペンタエン酸（ＥＰＡ）エチルエステル、ドコサペンタエン酸（ＤＰＡ）エチルエステル、及びドコサヘキサエン酸（ＤＨＡ）エチルエステルの１又は２以上の天然の高度多価不飽和脂肪酸のエステルを含有することを特徴とする上記（１）〜（３）のいずれか記載の不飽和脂肪酸、不飽和脂肪酸含有油脂、又は易酸化性の不飽和結合を有する物質用抗酸化剤や、（５）不飽和脂肪酸、不飽和脂肪酸含有油脂、又は易酸化性の不飽和結合を有する物質用抗酸化剤が、２以上のビスアリル位水素を有する天然の高度多価不飽和脂肪酸エステルからなる抗酸化活性成分を、不飽和脂肪酸、不飽和脂肪酸含有油脂、又は易酸化性の不飽和結合を有する物質に添加して、乳化状態となして使用するものであることを特徴とする上記（１）〜（４）のいずれか記載の不飽和脂肪酸、不飽和脂肪酸含有油脂、又は易酸化性の不飽和結合を有する物質用抗酸化剤からなる。【００１８】
また本発明は、（６）高度多価不飽和脂肪酸エステルからなる抗酸化活性成分と不飽和脂肪酸、不飽和脂肪酸含有油脂、又は易酸化性の不飽和結合を有する物質の乳化状態が、水中油（Ｏ／Ｗ）型であることを特徴とする上記（５）記載の不飽和脂肪酸、不飽和脂肪酸含有油脂、又は易酸化性の不飽和結合を有する物質用抗酸化剤や、（７）２以上のビスアリル位水素を有する天然の高度多価不飽和脂肪酸のエステルからなる抗酸化活性成分に、乳化剤を添加したことを特徴とする上記（１）〜（６）のいずれか記載の不飽和脂肪酸、不飽和脂肪酸含有油脂、又は易酸化性の不飽和結合を有する物質用抗酸化剤や、（８）２以上のビスアリル位水素を有する天然の高度多価不飽和脂肪酸のエステルからなる抗酸化活性成分に、トコフェロール類、Ｌ−アスコルビン酸、Ｌ−アスコルビン酸エステル、ローズマリー抽出物、茶抽出物、ヒマワリ抽出物、及びコーヒー豆抽出物から選択される１又は２以上の酸化防止剤を添加したことを特徴とする上記（１）〜（７）のいずれか記載の不飽和脂肪酸、不飽和脂肪酸含有油脂、又は易酸化性の不飽和結合を有する物質用抗酸化剤や、（９）２以上のビスアリル位水素を有する天然の高度多価不飽和脂肪酸のエステルが、フラックス油、シソ実油、エゴマ油等の植物油、イワシ油、タラ肝油、ニシン油、イカ油、マグロ油等の魚油、クジラ、アザラシ、オットセイのいずれかからなる海産動物を起源とする圧搾或いは抽出油、クロレラ、スピルリナのいずれかに由来する微細藻類抽出油、又は、該油脂を脂質分解酵素反応、エステル化反応、或いは、エステル交換反応によって変換した油であることを特徴とする上記（１）〜（８）のいずれか記載の不飽和脂肪酸、不飽和脂肪酸含有油脂、又は易酸化性の不飽和結合を有する物質用抗酸化剤や、（１０）不飽和脂肪酸、不飽和脂肪酸含有油脂、又は易酸化性の不飽和結合を有する物質用抗酸化剤が、不飽和脂肪酸、不飽和脂肪酸含有油脂、又は易酸化性の不飽和結合を有する物質を含有する飲食品、医薬、化粧品又は飼料用の抗酸化剤であることを特徴とする上記（１）〜（９）のいずれか記載の不飽和脂肪酸、不飽和脂肪酸含有油脂、又は易酸化性の不飽和結合を有する物質用抗酸化剤からなる。
【図面の簡単な説明】
【００１９】
【図１】本発明の説明のための不飽和脂肪酸の化学構造について示す図である。
【図２】本発明の説明のための不飽和脂肪酸の立体化学構造について示す図である。
【図３】本発明の実施例における乳化系における代表的不飽和脂肪酸単独の酸化安定性分析の結果について示す図である。
【図４】本発明の実施例における乳化系における不飽和脂肪酸の酸化安定性分析の結果について示す図である。
【図５】本発明の実施例における不飽和脂肪酸の混合による酸化安定性分析の結果について示す図である。
【図６】本発明の実施例におけるＤＨＡ添加による不飽和脂肪酸の酸化安定性分析の結果について示す図である。
【図７】本発明の実施例におけるＥＰＡ添加による不飽和脂肪酸の酸化安定性分析の結果について示す図である。
【図８】本発明の実施例における魚油乳化物の魚粉酸化に対する抗酸化能評価試験の結果について示す図である。
【発明を実施するための最良の形態】
【００２０】
本発明は、２以上のビスアリル位水素を有する天然のＨＵＦＡのエステルを抗酸化活性成分として含有する不飽和脂肪酸又は不飽和脂肪酸含有油脂、又は易酸化性の不飽和結合を有する物質用抗酸化剤からなる。本発明において、２以上のビスアリル位水素を有する天然の高度多価脂肪酸としては、α−リノレン酸、アラキドン酸、エイコサペンタエン酸（ＥＰＡ）、ドコサペンタエン酸（ＤＰＡ）、又はドコサヘキサエン酸（ＤＨＡ）等を挙げることができ、該ＨＵＦＡのエステルとしては、該脂肪酸のグリセリド或いはエチルエステルを挙げることができる。本発明の抗酸化剤においては、抗酸化活性成分として、α−リノレン酸グリセリド、アラキドン酸グリセリド、エイコサペンタエン酸（ＥＰＡ）グリセリド、ドコサペンタエン酸（ＤＰＡ）グリセリド、ドコサヘキサエン酸（ＤＨＡ）グリセリド、α−リノレン酸エチルエステル、アラキドン酸エチルエステル、エイコサペンタエン酸（ＥＰＡ）エチルエステル、ドコサペンタエン酸（ＤＰＡ）エチルエステル、及びドコサヘキサエン酸（ＤＨＡ）エチルエステル等の１又は２以上の天然のＨＵＦＡのエステルを含有することができる。【００２１】
本発明の抗酸化活性成分は、該油脂を含有する天然の原料油脂から公知の方法で調製することができる。該原料油脂としては、フラックス油、シソ実油、エゴマ油等の植物油、イワシ油、タラ肝油、ニシン油、イカ油、マグロ油等の魚油、クジラ、アザラシ、オットセイ等の海産動物を起源とする圧搾或いは抽出油、クロレラ、スピルリナ等に由来する微細藻類抽出油等を挙げることができ、該油脂を、脂質分解酵素やエステル化反応、エステル交換反応等を用いて、適宜改質することもできる。【００２２】
本発明の抗酸化剤を適用する不飽和脂肪酸又は不飽和脂肪酸含有油脂としては、不飽和脂肪酸又は不飽和脂肪酸を含む油脂であれば特に限定されず、各種植物由来、動物由来、水産動物由来、微生物由来の不飽和脂肪酸又は不飽和脂肪酸含有油脂に対して、適用することができる。更に、不飽和脂肪酸や不飽和脂肪酸含有油脂類を含有する各種の飲食品、健康食品素材、医薬品、化粧品、或いは飼料用等の酸化防止のために適用することができる。また抗酸化剤を適用する易酸化性の不飽和結合を有する物質としては、カロチノイド類、ビタミンＡ類、その他色素類などがあり、飲食品、健康食品素材、医薬品、化粧品、或いは飼料用等に含まれるこれら成分の酸化防止にも適用することが出来る。【００２３】
本発明の抗酸化剤の適用方法は、特に、限定されないが、不飽和脂肪酸や不飽和脂肪酸含有油脂類、或いは該脂肪酸、油脂類、易酸化性の不飽和結合を有する物質を含有する素材や製品に対して、所定量の抗酸化剤を混合することにより適用することができる。本発明の抗酸化剤の抗酸化作用の観点からは、抗酸化剤を不飽和脂肪酸、不飽和脂肪酸含有油脂、又は易酸化性の不飽和結合を有する物質に添加して、乳化状態となして使用することが好ましく、かかる場合の乳化状態としては、水中油（Ｏ／Ｗ）型であることが好ましい。本発明の抗酸化剤は、抗酸化活性成分に乳化剤を添加し、或いは、更に乳化状態となし、必要により、他の酸化防止剤を添加して、製品化することができる。かかる場合の酸化防止剤としては、トコフェロール類、Ｌ−アスコルビン酸、Ｌ−アスコルビン酸エステル、ローズマリー抽出物、茶抽出物、ヒマワリ抽出物、コーヒー豆抽出物等、一般に用いられている酸化防止剤を目的に応じて適宜使用することができる。【００２４】
以下、実施例により本発明をより具体的に説明するが、本発明の技術的範囲はこれらの例示に限定されるものではない。
【実施例１】
【００２５】
［乳化系における不飽和脂肪酸の酸化安定性分析］
リノール酸トリグリセリド（ＬＬＬ）及びＤＨＡトリグリセリド（ＤＤＤ）の、乳化系におけるリノール酸およびＤＨＡの酸化安定性について試験した。【００２６】
（試験方法）
２０ｍＬ容ネジ口瓶に、ＬＬＬもしくはＤＤＤを最終濃度で５ｍＭとなるように加え、これに０．５％のTriton-X100を含有した０．０５Ｍリン酸緩衝溶液を加え、スターラーで攪拌し予備乳化した後、超音波ホモジナイザーにより乳化処理を行った。その後、水溶性の酸化開始剤である、ＡＡＰＨ(2,2'-Azobis(2-amidinonpropane) hydrochloride)を１ｍＭになるように添加し、これを試験管に分注した。各試験管を遮光下２５℃で酸化に供し、０時間、２４時間、４８時間、７２時間、９６時間でサンプリングした。サンプリングした乳化溶液中の脂肪酸は、三フッ化ホウ素メタノール法によりメチルエステル化し、ＧＣ−ＦＩＤに供してクロマトグラムのピークエリアより脂肪酸残存量を計算により求めた。なお、０時間に存在する脂肪酸の量を１００として残存脂肪酸量を表した。【００２７】
（結果）
結果を、図３に示す。結果、乳化状態において、リノール酸はＤＨＡと比較して、酸化時間と共に残存脂肪酸の減少が大きく、乳化状態における酸化安定性が低いことが示された。
【実施例２】
【００２８】
［乳化系における不飽和脂肪酸の酸化安定性分析］
リノール酸とＤＨＡが分子内に２：１に比率で含まれるトリグリセリド（β−ＬＤＬ）を用いて、乳化系におけるリノール酸とＤＨＡの酸化安定性について試験した。【００２９】
（試験方法）
２０ｍＬ容ネジ口瓶に、β-ＬＤＬを最終濃度で５ｍＭとなるように加え、これに０．５％のTriton-X100を含有した０．０５Ｍリン酸緩衝溶液を加え、スターラーで攪拌し予備乳化した後、超音波ホモジナイザーにより乳化処理を行った。その後、水溶性の酸化開始剤である、ＡＡＰＨを１ｍＭになるように添加し、これを試験管に分注した。各試験管を遮光下２５℃で酸化に供し、０時間、２４時間、４８時間、７２時間、９６時間でサンプリングした。サンプリングした乳化溶液中の脂肪酸は、三フッ化ホウ素メタノール法によりメチルエステル化し、ＧＣ−ＦＩＤに供してクロマトグラムのピークエリアより脂肪酸残存量を計算により求めた。なお、０時間に存在する脂肪酸の量を１００として残存脂肪酸量を表した。【００３０】
（結果）
結果を、図４に示す。結果、乳化状態において、リノール酸とＤＨＡが同じ分子内に存在する場合、各々が単独で存在する場合と比較してその安定性は逆転し、リノール酸に比べてＤＨＡは、酸化時間と共に残存脂肪酸の減少が大きく、酸化安定性が低くなることが示された。
【実施例３】
【００３１】
［不飽和脂肪酸の混合による酸化安定性分析］
リノール酸トリグリセリド（ＬＬＬ）及びＤＨＡトリグリセリド（ＤＤＤ）混合物を用いて、乳化系におけるリノール酸とＤＨＡの酸化安定性について試験した。【００３２】
（試験方法）
２０ｍＬ容ネジ口瓶に、ＬＬＬとＤＤＤを２：１混合物を最終濃度で５ｍＭとなるように加え、これに０．５％のTriton-X100を含有した０．０５Ｍリン酸緩衝溶液を加え、スターラーで攪拌し予備乳化した後、超音波ホモジナイザーにより乳化処理を行った。その後、水溶性の酸化開始剤である、ＡＡＰＨを１ｍＭになるように添加し、これを試験管に分注した。各試験管を遮光下２５℃で酸化に供し、０時間、２４時間、４８時間、７２時間、９６時間でサンプリングした。サンプリングした乳化溶液中の脂肪酸は、三フッ化ホウ素メタノール法によりメチルエステル化し、ＧＣ−ＦＩＤに供してクロマトグラムのピークエリアより脂肪酸残存量を計算により求めた。なお、０時間に存在する脂肪酸の量を１００として残存脂肪酸量を表した。【００３３】
（結果）
結果を、図５に示す。結果、ＬＬＬ及びＤＤＤの混合により、リノール酸トリグリセリドの酸化安定性が付与された。
【実施例４】
【００３４】
［ＤＨＡ添加による不飽和脂肪酸の酸化安定性分析］
リノール酸トリグリセリド（ＬＬＬ）を用いた酸化安定性試験の途中で、ＤＨＡトリグリセリド（ＤＤＤ）を添加して、リノール酸の酸化に対するＤＨＡ（不飽和結合６；ビスアリル位水素５）の抗酸化作用について試験した。【００３５】
（試験方法）
２０ｍＬ容ネジ口瓶に、ＬＬＬを最終濃度で２．５ｍＭとなるように加え、これに０．５％のTriton-X100を含有した０．０５Ｍリン酸緩衝溶液を加え、スターラーで攪拌し予備乳化した後、超音波ホモジナイザーにより乳化処理を行った。同様の処理を行い、ＤＤＤ乳化物も得た。その後、水溶性の酸化開始剤である、ＡＡＰＨを１ｍＭになるように添加し、これを試験管に分注した（０時間、２４時間、４８時間、７２時間、９６時間サンプリング用）。各試験管を遮光下２５℃で酸化に供し、０時間、２４時間、４８時間でサンプリングした。４８時間のサンプリングが終了したのち、７２時間、９６時間のサンプリング用サンプルに最終濃度で２．５ｍＭになるようにＤＤＤ乳化物を添加し、７２時間、９６時間においてサンプリングした。サンプリングした乳化溶液中の脂肪酸は、三フッ化ホウ素メタノール法によりメチルエステル化し、ＧＣ−ＦＩＤに供してクロマトグラムのピークエリアより脂肪酸残存量を計算により求めた。なお、０時間に存在する脂肪酸の量を１００として残存脂肪酸量を表した。【００３６】
（結果）
結果を、図６に示す。結果、ＤＤＤの添加により、ＬＬＬの酸化が抑制された。このことより、ＤＤＤが、ＬＬＬの酸化に対して、抗酸化作用を有することが確認された。
【実施例５】
【００３７】
［ＥＰＡ添加による不飽和脂肪酸の酸化安定性分析］
リノール酸トリグリセリド（ＬＬＬ）を用いた酸化安定性試験の途中で、ＥＰＡトリグリセリド（ＥＥＥ）を添加して、リノール酸の酸化に対するＥＰＡ（不飽和結合５；ビスアリル位水素４）の抗酸化作用について試験した。【００３８】
（試験方法）
２０ｍＬ容ネジ口瓶に、ＬＬＬを最終濃度で２．５ｍＭとなるように加え、これに０．５％のTriton-X100を含有した０．０５Ｍリン酸緩衝溶液を加え、スターラーで攪拌し予備乳化した後、超音波ホモジナイザーにより乳化処理を行った。同様の処理を行い、ＥＥＥ乳化物も得た。その後、水溶性の酸化開始剤である、ＡＡＰＨを１ｍＭになるように添加し、これを試験管に分注した（０時間、２４時間、４８時間、７２時間、９６時間サンプリング用）。各試験管を遮光下２５℃で酸化に供し、０時間、２４時間、４８時間でサンプリングした。４８時間のサンプリングが終了したのち、７２時間、９６時間のサンプリング用サンプルをそれぞれ２つに分け、片方のサンプルには最終濃度で２．５ｍＭになるようにＥＥＥ乳化物を添加し、７２時間、９６時間においてサンプリングした。一方のサンプルには何も添加せず、７２時間、９６時間でサンプリングした。サンプリングした乳化溶液中の脂肪酸は、三フッ化ホウ素メタノール法によりメチルエステル化し、ＧＣ−ＦＩＤに供してクロマトグラムのピークエリアより脂肪酸残存量を計算により求めた。なお、０時間に存在する脂肪酸の量を１００として残存脂肪酸量を表した。【００３９】
（結果）
結果を、図７に示す。結果、ＥＥＥの添加により、ＬＬＬの酸化が抑制された。このことより、ＥＥＥが、ＬＬＬの酸化に対して、抗酸化作用を有することが確認された。α−リノレン酸（不飽和結合３；ビスアリル位水素２）トリグリセリドを用いた同様の酸化安定性分析でも、同じ結果が得られた。また、該脂肪酸グリセリドに代えて、脂肪酸エチルエステルを用いた酸化安定性分析でも、同じ結果が得られた。これらの結果から、２以上のビスアリル位水素（不飽和結合３以上）を有するＨＵＦＡのエステルが、不飽和脂肪酸の酸化に対して、抗酸化作用を有することが確認された。
【実施例６】
【００４０】
［魚油乳化物の魚粉酸化に対する抗酸化能評価］
魚油乳化物、および魚油とミックストコフェロール混合物の乳化物の魚粉に対する抗酸化作用について試験した。【００４１】
（試験方法）
３００ｍＬ容ビーカー中で、イワシ油１０ｇに対し、Tween８５を１ｇ添加し、これに水を８９ｇ添加した後、ホモジナイザーで予備乳化、続けて投げ込み型の超音波発生装置を用い乳化した。これを魚油乳剤とした。同様に、３００ｍＬ容ビーカー中で、イワシ油５ｇに対し、ミックストコフェロールを５ｇ、Tween８５を１ｇ添加し、これに水を８９ｇ添加した後、ホモジナイザーで予備乳化、続けて投げ込み型の超音波発生装置を用い乳化した。これを魚油ＶＥ乳剤とした。これら乳化剤を調理用の油噴霧器を用い、５００ｇの魚粉に対し１．７６ｇ（魚油乳剤）及び１．７０ｇ（魚油乳剤）噴霧し、よくかき混ぜた後、１００ｇのビーカーに５０ｇ移し、恒温器中４０℃で１週間保存した。エトキシン（ＥＱ）については、最終濃度が１５０ｐｐｍになるように、魚粉に噴霧した。またコントロールとして魚粉５０ｇも同様に保存した。１週間保存したサンプルより、石油エーテルを用いて油脂を抽出し、過酸化物価を測定した。【００４２】
（結果）
結果を図８に示す。保存１週間後、コントロール魚粉の過酸化物価は３０ｍｅｑ／ｋｇほどまで上昇したが、エトキシン（ＥＱ）、魚油乳剤および魚油ＶＥ乳剤添加魚粉中の過酸化物価は、１５ｍｅｑ／ｋｇ以下であった。このことより、魚油を乳化したものは魚粉中に残存する油脂の抗酸化にも効果を持つことが確認された。
【産業上の利用可能性】
【００４３】
本発明は、不飽和脂肪酸を含有する油脂類、若しくは易酸化性の不飽和結合を有する物質に、特に適合した親和性を有し、安全性が高く、かつ、安定した酸化防止効果を有する天然物由来の不飽和脂肪酸を含有する油脂類、又は易酸化性の不飽和結合を有する物質用の抗酸化剤を提供する。本発明の抗酸化活性成分であるＨＵＦＡのエステルは、それ自体、種々の生理活性や健康増進作用により注目されている成分であり、抗酸化作用と同時に種々の生理活性や健康増進機能を付与する。また、抗酸化剤自体がＨＵＦＡであることから、添加したＨＵＦＡを含有する油脂類自体の物性や、構成成分上も大きな変更を来たすことがない。したがって、本発明は、不飽和脂肪酸や不飽和脂肪酸含有油脂類、又は易酸化性の不飽和結合を有する物質を含有する飲食品、健康食品素材、医薬品、化粧品、或いは飼料等用の酸化防止のために特に適合した特性を有する抗酸化剤を提供する。
【図１】
2009031275.tif 000002
【図２】
2009031275.tif 000003
【図３】
2009031275.tif 000004
【図４】
2009031275.tif 000005
【図５】
2009031275.tif 000006
【図６】
2009031275.tif 000007
【図７】
2009031275.tif 000008
【図８】
2009031275.tif 000009
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
２以上のビスアリル位水素を有する天然の高度多価不飽和脂肪酸のエステルの乳化物を抗酸化活性成分として含有することを特徴とする不飽和脂肪酸、不飽和脂肪酸含有油脂、又は易酸化性の不飽和結合を有する物質用抗酸化剤。
【請求項２】
２以上のビスアリル位水素を有する天然の高度多価不飽和脂肪酸が、α−リノレン酸、アラキドン酸、エイコサペンタエン酸（ＥＰＡ）、ドコサペンタエン酸（ＤＰＡ）又はドコサヘキサエン酸（ＤＨＡ）であることを特徴とする請求項１記載の不飽和脂肪酸、不飽和脂肪酸含有油脂、又は易酸化性の不飽和結合を有する物質用抗酸化剤。
【請求項３】
２以上のビスアリル位水素を有する天然の高度多価不飽和脂肪酸のエステルが、α−リノレン酸、アラキドン酸、エイコサペンタエン酸（ＥＰＡ）、ドコサペンタエン酸（ＤＰＡ）又はドコサヘキサエン酸（ＤＨＡ）のグリセリド或いはエチルエステルであることを特徴とする請求項１又は２記載の不飽和脂肪酸、不飽和脂肪酸含有油脂、又は易酸化性の不飽和結合を有する物質用抗酸化剤。
【請求項４】
抗酸化活性成分として、α−リノレン酸グリセリド、アラキドン酸グリセリド、エイコサペンタエン酸（ＥＰＡ）グリセリド、ドコサペンタエン酸（ＤＰＡ）グリセリド、ドコサヘキサエン酸（ＤＨＡ）グリセリド、α−リノレン酸エチルエステル、アラキドン酸エチルエステル、エイコサペンタエン酸（ＥＰＡ）エチルエステル、ドコサペンタエン酸（ＤＰＡ）エチルエステル、及びドコサヘキサエン酸（ＤＨＡ）エチルエステルの１又は２以上の天然の高度多価不飽和脂肪酸のエステルを含有することを特徴とする請求項１〜３のいずれか記載の不飽和脂肪酸、不飽和脂肪酸含有油脂、又は易酸化性の不飽和結合を有する物質用抗酸化剤。
【請求項５】
不飽和脂肪酸、不飽和脂肪酸含有油脂、又は易酸化性の不飽和結合を有する物質用抗酸化剤が、２以上のビスアリル位水素を有する天然の高度多価不飽和脂肪酸エステルからなる抗酸化活性成分を、不飽和脂肪酸、不飽和脂肪酸含有油脂、又は易酸化性の不飽和結合を有する物質に添加して、乳化状態となして使用するものであることを特徴とする請求項１〜４のいずれか記載の不飽和脂肪酸、不飽和脂肪酸含有油脂、又は易酸化性の不飽和結合を有する物質用抗酸化剤。
【請求項６】
高度多価不飽和脂肪酸エステルからなる抗酸化活性成分と不飽和脂肪酸、不飽和脂肪酸含有油脂、又は易酸化性の不飽和結合を有する物質の乳化状態が、水中油（Ｏ／Ｗ）型であることを特徴とする請求項５記載の不飽和脂肪酸、不飽和脂肪酸含有油脂、又は易酸化性の不飽和結合を有する物質用抗酸化剤。
【請求項７】
２以上のビスアリル位水素を有する天然の高度多価不飽和脂肪酸のエステルからなる抗酸化活性成分に、乳化剤を添加したことを特徴とする請求項１〜６のいずれか記載の不飽和脂肪酸、不飽和脂肪酸含有油脂、又は易酸化性の不飽和結合を有する物質用抗酸化剤。
【請求項８】
２以上のビスアリル位水素を有する天然の高度多価不飽和脂肪酸のエステルからなる抗酸化活性成分に、トコフェロール類、Ｌ−アスコルビン酸、Ｌ−アスコルビン酸エステル、ローズマリー抽出物、茶抽出物、ヒマワリ抽出物、及びコーヒー豆抽出物から選択される１又は２以上の酸化防止剤を添加したことを特徴とする請求項１〜７のいずれか記載の不飽和脂肪酸、不飽和脂肪酸含有油脂、又は易酸化性の不飽和結合を有する物質用抗酸化剤。
【請求項９】
２以上のビスアリル位水素を有する天然の高度多価不飽和脂肪酸のエステルが、フラックス油、シソ実油、エゴマ油等の植物油、イワシ油、タラ肝油、ニシン油、イカ油、マグロ油等の魚油、クジラ、アザラシ、オットセイのいずれかからなる海産動物を起源とする圧搾或いは抽出油、クロレラ、スピルリナのいずれかに由来する微細藻類抽出油、又は、該油脂を脂質分解酵素反応、エステル化反応、或いは、エステル交換反応によって変換した油であることを特徴とする請求項１〜８のいずれか記載の不飽和脂肪酸、不飽和脂肪酸含有油脂、又は易酸化性の不飽和結合を有する物質用抗酸化剤。
【請求項１０】
不飽和脂肪酸、不飽和脂肪酸含有油脂、又は易酸化性の不飽和結合を有する物質用抗酸化剤が、不飽和脂肪酸、不飽和脂肪酸含有油脂、又は易酸化性の不飽和結合を有する物質を含有する飲食品、医薬、化粧品又は飼料用の抗酸化剤であることを特徴とする請求項１〜９のいずれか記載の不飽和脂肪酸、不飽和脂肪酸含有油脂、又は易酸化性の不飽和結合を有する物質用抗酸化剤。
【請求項１１】
抗酸化活性成分として、α−リノレン酸、アラキドン酸、エイコサペンタエン酸（ＥＰＡ）、ドコサペンタエン酸（ＤＰＡ）又はドコサヘキサエン酸（ＤＨＡ）のグリセリド或いはエチルエステルに、乳化剤を添加して調製した２以上のビスアリル位水素を有する天然の高度多価不飽和脂肪酸のエステルの乳化物を、不飽和脂肪酸、不飽和脂肪酸含有油脂、又は易酸化性の不飽和結合を有する油脂に添加して、水中油（Ｏ／Ｗ）型の乳化状態として調製することを特徴とする、不飽和脂肪酸、不飽和脂肪酸含有油脂、又は易酸化性の不飽和結合を有する油脂の抗酸化安定化方法。
【請求項１２】
抗酸化活性成分が、α−リノレン酸グリセリド、アラキドン酸グリセリド、エイコサペンタエン酸（ＥＰＡ）グリセリド、ドコサペンタエン酸（ＤＰＡ）グリセリド、ドコサヘキサエン酸（ＤＨＡ）グリセリド、α−リノレン酸エチルエステル、アラキドン酸エチルエステル、エイコサペンタエン酸（ＥＰＡ）エチルエステル、ドコサペンタエン酸（ＤＰＡ）エチルエステル、又はドコサヘキサエン酸（ＤＨＡ）エチルエステルであることを特徴とする請求項１１記載の不飽和脂肪酸、不飽和脂肪酸含有油脂、又は易酸化性の不飽和結合を有する油脂の抗酸化安定化方法。
【国際調査報告】
2009031275.tif 000010
2009031275.tif 000011
2009031275.tif 000012
2009031275.tif 000013